(57)【要約】【課題】  配線コネクタに、外側に突出するカバー等を装着することなく、配線接続部の収容孔と、そこを通る配線との間隙を効率よく閉塞することにより、不正行為を効果的に防止することができるとともに、その不正行為防止手段を、配線を配線接続部に接続した後に、配線コネクタに容易に着脱することができ、しかもそれが、装着後に妄りに外れることがなく、構造が簡単で、安価に製造でき、さらにリサイクル性能を高めることができるようにした遊技機を提供する。【解決手段】  配線コネクタ２１における配線接続部２１ｂ側の各収容孔２３の開口端部に、配線２４挿通用の切り欠き２９を設けた閉塞体２７を嵌合する。【選択図】        図５
2005342405.tif 000002
【特許請求の範囲】
【請求項１】
前面が開口する筐体の前面開口部に遊技盤を開閉可能として装着し、前記筐体内に配設した電気機器に設けた受け口に、他の電機機器に接続した複数の配線の端部に接続した配線コネクタの差し込み部を嵌合してなる遊技機において、
前記配線コネクタにおける基端側の配線接続部から遊端側の差し込み部にかけて、複数の収容孔を、升目状に並べて穿設し、各収容孔に、配線接続部側から挿入した配線の端末に接続した接触端子を抜け止めして収容し、前記各収容孔における配線接続部側の開口端部に、配線挿通用の切り欠きを設けた閉塞体を嵌合したことを特徴とする遊技機。
【請求項２】
閉塞体が、複数の収容孔の配線接続部側の開口端部を覆うとともに、各収容孔に対応する部分に配線挿通用の切り欠きが設けられた基片と、この基片の裏面より延出して各収容孔に嵌合し、各収容孔の内面に圧接する１対の弾性舌片を備える嵌合部とを備えている請求項１記載の遊技機。
【請求項３】
各弾性舌片における収容孔の内面に接触する側縁に、収容孔の方向と直交する方向を向く凹条または凸条を設けた請求項２記載の遊技機。
【請求項４】
基片の表面における互いに隣接する嵌合部の中間部分に、両嵌合部を分断する方向を向く凹条を設けた請求項２または３記載の遊技機。
【請求項５】
閉塞体における配線挿通用の切り欠きが設けられた方の側縁と反対側の側縁に、閉塞体の離脱操作用の切り欠きを設けた請求項１〜４のいずれかに記載の遊技機。
【請求項６】
筐体内に、電気機器である電源装置と、遊技媒体であるメダルを貯留したり放出したりしうるホッパーユニットとを、僅少の間隙を隔てて配設し、前記ホッパーユニットにおける前記間隙側の側面に受け口を設け、前記電源装置とホッパーユニットとを接続する配線のホッパーユニット側の端末に、前記受け口に嵌合するようにした閉塞体付きの配線コネクタを設けた請求項１〜５のいずれかに記載の遊技機。
【発明の詳細な説明】
【技術分野】
【０００１】
本発明は、複数の電気機器同士を電気的に接続する配線コネクタに不正行為防止手段を設けた遊技機に関する。
【背景技術】
【０００２】
前面が開口する筐体の前面一側部に、遊技盤の一側部を枢着し、筐体に対して遊技盤を開閉可能としたスロットマシンやパチンコ機等の遊技機においては、遊技盤の裏面に装着した複数の電気機器同士、筐体内に設けた複数の電気機器同士、遊技盤の裏面に装着した電気機器と筐体内に設けた電気機器、またはそれらの電気機器と遊技機外の電気機器を接続するのに、両端末にコネクタを設けた複数の可撓性の配線を束ねるか、またはそれをフレキシブルチューブ内に挿入したハーネスが用いられている（例えば特許文献１、２参照）。
【０００３】
このような遊技機においては、筐体と遊技盤との隙間から挿入した違法操作体を、コネクタと各配線との接続部分に接触させるといった不正行為を防止するため、図８に示すように、コネクタ(60)における配線接続部(61)と、そこから延出している配線(62)の端末近傍部とを、可撓性のカバー(63)により覆っている。
このカバー(63)は、透明または不透明の軟質合成樹脂材料により形成され、複数の配線(62)を束ねて挿通させる円筒状の結束挿通部(64)と、その一端から拡開して、コネクタ(60)の配線接続部(61)が嵌合するようにした嵌合部(65)とからなっている。
【特許文献１】特開２００３−２５０９５９号公報
【特許文献２】特開２００４−３３５１９号公報
【発明の開示】
【発明が解決しようとする課題】
【０００４】
しかし、上述のような従来のカバー(63)は、配線(62)の端末をコネクタ(60)の配線接続部(61)に接続する以前に、図８に想像線で示すように、束ねた複数の配線(62)に予め外装しておき、配線(62)の端末をコネクタ(60)に接続した後、カバー(63)を配線(62)に沿ってずらして、その嵌合部(65)をコネクタ(60)の配線接続部(61)に嵌合しなければならず、その作業が繁雑であるだけでなく、配線(62)をコネクタ(60)に接続した後に、カバー(63)を着脱や交換することができないという問題がある。
また、コネクタ(60)を接続する電気機器等の接続部分に、僅少の空間しかなく、コネクタ(60)にカバー(63)を設けると、コネクタ(60)を電気機器等に接続するのが不可能または困難となることもある。
【０００５】
本発明は、従来の技術が有する上記のような問題点に鑑み、配線コネクタに、外側に突出するカバー等を装着することなく、配線接続部の収容孔と、そこを通る配線との間隙を効率よく閉塞することにより、不正行為を効果的に防止することができるとともに、その不正行為防止手段を、配線を配線接続部に接続した後に、配線コネクタに容易に着脱することができ、しかもそれが、装着後に妄りに外れることがなく、構造が簡単で、安価に製造でき、さらにリサイクル性能を高めることができるようにした遊技機を提供することを目的としている。
【課題を解決するための手段】
【０００６】
本発明によると、上記課題は次のようにして解決される。
(１)  前面が開口する筐体の前面開口部に遊技盤を開閉可能として装着し、前記筐体内に配設した電気機器に設けた受け口に、他の電機機器に接続した複数の配線の端部に接続した配線コネクタの差し込み部を嵌合してなる遊技機において、前記配線コネクタにおける基端側の配線接続部から遊端側の差し込み部にかけて、複数の収容孔を、升目状に並べて穿設し、各収容孔に、配線接続部側から挿入した配線の端末に接続した接触端子を抜け止めして収容し、前記各収容孔における配線接続部側の開口端部に、配線挿通用の切り欠きを設けた閉塞体を嵌合する。
【０００７】
(２)  上記(１)項において、閉塞体が、複数の収容孔の配線接続部側の開口端部を覆うとともに、各収容孔に対応する部分に配線挿通用の切り欠きが設けられた基片と、この基片の裏面より延出して各収容孔に嵌合し、各収容孔の内面に圧接する１対の弾性舌片を備える嵌合部とを備えるものとする。
【０００８】
(３)  上記(２)項において、各弾性舌片における収容孔の内面に接触する側縁に、収容孔の方向と直交する方向を向く凹条または凸条を設ける。
【０００９】
(４)  上記(２)または(３)項において、基片の表面における互いに隣接する嵌合部の中間部分に、両嵌合部を分断する方向を向く凹条を設ける。
【００１０】
(５)  上記(１)〜(４)項のいずれかにおいて、閉塞体における配線挿通用の切り欠きが設けられた方の側縁と反対側の側縁に、閉塞体の離脱操作用の切り欠きを設ける。
【００１１】
(６)  上記(１)〜(５)項のいずれかにおいて、筐体内に、電気機器である電源装置と、遊技媒体であるメダルを貯留したり放出したりしうるホッパーユニットとを、僅少の間隙を隔てて配設し、前記ホッパーユニットにおける前記間隙側の側面に受け口を設け、前記電源装置とホッパーユニットとを接続する配線のホッパーユニット側の端末に、前記受け口に嵌合するようにした閉塞体付きの配線コネクタを設ける。
【発明の効果】
【００１２】
本発明によると、次のような効果を奏することができる。
(１)  請求項１記載の発明によると、配線接続部の収容孔に閉塞体を嵌合するだけであるので、閉塞体が配線コネクタの外部に突出することはほとんどなく、配線コネクタを接続しようとする電気機器等の接続部分の外側に僅少の隙間しかない場合でも、接続することができ、従来のカバーを装着した場合のように、カバーが邪魔になって、接続が困難または不可能になるということはない。
しかも、収容孔に閉塞体を嵌合したことにより、遊技機における不正行為、すなわち、配線コネクタの配線接続部と各配線との間に違法操作体を挿入して不正行為が行われるのを未然に防止することができる。
さらに、閉塞体は、配線を配線コネクタに接続した後に装着するものであるので、従来のカバーのように、配線を配線コネクタに接続する前に、カバーを配線に予め装着しておく必要がなく、また、配線コネクタを配線から外すことなく、閉塞体を配線コネクタから外すこともできるので、作業性がよく、リサイクルにも都合がよい。
【００１３】
(２)  請求項２記載の発明によると、個々の収容孔に１個ずつ閉塞体を嵌合するのではなく、一度に複数の収容孔に閉塞体を同時に嵌合することができるので、作業効率がよい。
また、各収容孔に、その内面に圧接する１対の弾性舌片を嵌合するので、閉塞体が収容孔から妄りに外れることはない。
【００１４】
(３)  請求項３記載の発明によると、凹条または凸条を設けた弾性舌片の側縁が、収容孔の内面に圧接することにより、閉塞体が収容孔よりさらに抜けにくくなる。
【００１５】
(４)  請求項４記載の発明によると、多数の嵌合部が連続して並ぶ横長の閉塞体を、嵌合しようとする配線コネクタの収容孔の個数に応じた所望の凹条に沿って、破断または引きちぎって使用することができるとともに、その閉塞体の装着時に、各凹条が、互いに隣接する収容孔の仕切り部分に位置するようにして、各嵌合部を収容孔に嵌合することにより、嵌合作業が容易となる。すなわち、各凹条が、閉塞体の装着時の位置決め用のマークとなる。
【００１６】
(５)  請求項５記載の発明によると、閉塞体に設けた離脱操作用の切り欠きに尖先状の工具を挿入して、閉塞体を配線コネクタから容易に離脱させることができる。
【００１７】
(６)  請求項６記載の発明によると、不正行為が行われる可能性の高い電源装置とホッパーユニットとを接続する配線の配線コネクタを、不正行為から効果的に防御することができるとともに、電源装置とホッパーユニットとの僅少の間隙に、配線コネクタを配設することができる。
【発明を実施するための最良の形態】
【００１８】
以下、本発明の実施形態を、添付図面を参照して説明する。
図１は、本発明の一実施形態である遊技機の正面図、図２は、同じく、遊技盤を開いた状態の遊技機の斜視図、図３は、同じく、遊技盤を外したときの筐体内の正面図である。
なお、図１における紙面手前側を前方、同じく紙面裏側を後方とする。
【００１９】
図１〜図３に示すように、この遊技機(１)は、例示的に、メダルを遊技媒体とするスロットマシンとしてあり、前面が開放する直方体状の筐体(２)と、この筐体(２)の前面左側部に上下方向を向く上下１対の軸(2a)(2a)(図３参照)をもって枢着され、かつ筐体(２)の前面開口部を開閉する遊技盤(３)とを備えている。
なお、遊技機(１)を、パチンコ玉を遊技媒体とするパチンコ機とすることもできる。
【００２０】
遊技盤(３)には、筐体(２)の前面開口部を完全に閉塞する閉止位置に位置している状態で、上下１対の係止爪(4a)(4a)が筐体(２)に係合して、遊技盤(３)を閉止位置にロックしうるようにしたロック機構(４)が設けられている。
【００２１】
筐体(２)内には、外周面に複数種類の図柄、数字等で構成される識別情報が付記された横並びの３個の回胴体(5a)よりなる表示装置(５)と、遊技媒体であるメダルを貯留したり放出したりしうるホッパーユニット(６)と、遊技進行を制御するための主制御基板(７)および副制御基板(８)と、主制御基板(７)の制御信号に基づいて表示装置(５)の回胴体(5a)の回転を制御する回胴体制御基板(９)と、表示装置(５)、ホッパーユニット(６)、および主制御基板(７)等に電力を供給する電源装置(10)とが設けられている。
【００２２】
ホッパーユニット(６)の左側端には、図３〜図５に示すハーネス(20)の一端に設けられた配線コネクタ(21)における差し込み部(21a)を嵌合するための受け口(6a)が設けられている。
また、電源装置(10)の上面には、上記ハーネス(20)の他端に設けられた、上記配線コネクタ(21)と同様の配線コネクタ(22)における差し込み部(22a)を嵌合するための受け口(10a)(図２参照)が設けられている。
ホッパーユニット(６)と電源装置(10)とは、それらの受け口(6a)(10a)に各配線コネクタ(21)(22)における差し込み部(21a)(22a)を嵌合することにより、ハーネス(20)をもって互いに接続されている。
なお、ホッパーユニット(６)と電源装置(10)以外の電気機器同士も、同様のハーネスにより互いに接続されているが、ここでは、上記ハーネス(20)のみを例示的に示してある。
【００２３】
遊技盤(３)の前面には、３個の回胴体(5a)の中央部分を前方より視認しうるようにした識別情報表示窓(11)と、識別情報表示窓(11)の上方において、遊技盤(３)の後面側に取り付けられた液晶表示器(12)に映し出される各種遊技情報を視認しうるようにした液晶表示窓(13)と、各種遊技情報を表示しうる遊技情報表示領域部(14)と、遊技媒体であるメダルを投入可能なメダル投入部(15)と、メダルの賭数を選定するためのベットスイッチボタン(16)と、表示装置(５)の回胴体(5a)を回転させるときに操作するためのスタートスイッチレバー(17)と、回胴体(5a)の回転を停止させるときに操作するためのストップスイッチボタン(18)等が設けられ、また、同じく後面側には、各種遊技情報を表示する複数の発光素子および電気素子等を実装した実装基板(19)が取り付けられている。
【００２４】
遊技情報表示領域部(14)は、識別情報表示窓(11)の下方近傍に設けられ、その領域には、左側から、上、中、下の３個のベット数表示窓(14a)、メダル払出枚数表示窓(14b)、ボーナスゲーム残数表示窓(14c)、クレジット数表示窓(14d)、上、中、下３個の遊技進行表示窓(14e)が設けられている。
【００２５】
遊技機(１)の遊技は、遊技者がメダルをメダル投入部(15)に所定枚数投入して、ベットスイッチボタン(16)およびスタートスイッチレバー(17)を順次操作することにより、表示装置(５)の各回胴体(5a)を一斉に回転させ、所定時間経過後、各回胴体(5a)に対応するストップスイッチボタン(18)を順次操作して、各回胴体(5a)を停止させることにより行われる。なお、メダル投入部(15)にメダルを投入することにより、所定数（例えば、５０枚）を上限として、後のゲームまでクレジット数として記憶されるようになっている。
【００２６】
そして、各回胴体(5a)が停止したときの、識別情報表示窓(11)に表示される左、中、右の識別情報の組み合わせにより、入賞の有無、および賞の大小に応じたメダルの配当枚数が決定され、入賞した場合には、大当りとなって、予め定めた入賞枚数分だけホッパーユニット(６)からメダルが払い出される。大当りとなった場合には、予め定めたボーナスゲームに移行して、遊技者は短時間に大量のメダルを得ることができる。
【００２７】
図４〜図７に示すように、ホッパーユニット(６)の受け口(6a)に差し込み部(21a)を嵌合する方の配線コネクタ(21)は、前後方向に長い直方体状をなし、その左部の基端側の配線接続部(21b)から右部の遊端側の差し込み部(21a)にかけて、左右方向を向く前後４個ずつの収容孔(23)が、上下２列として升目状に穿設されている。各収容孔(23)には、金属製の接触端子(24a)(図６参照)が端末に接続された被覆導線よりなる配線(24)が、それぞれ配線接続部(21b)側から嵌合され、抜け止めされている。すべての配線(24)の中間部は、必要に応じて可撓性の透明のチューブ(20a)内に挿通させることにより、束ねられている。
【００２８】
配線コネクタ(21)の前後の端部には、差し込み部(21a)側から配線接続部(21b)側に向かって延出し、かつホッパーユニット(６)の受け口(6a)の内面に設けた係止孔(図示略)に係止することにより、配線コネクタ(21)を受け口(6a)から抜け止めする弾性係止片(25)が設けられている。
弾性係止片(25)は、差し込み部(21a)側から配線接続部(21b)側に向かって延出する弾性舌片(25a)の中間部外側面に爪片(25b)を突設し、かつ弾性舌片(25a)の左端である遊端部外側面に、解除操作用突部(25c)を設けたものであり、解除操作用突部(25c)を前後方向の内向きに押圧して、弾性舌片(25a)を内向きに弾性撓曲させることにより、各爪片(25b)を、受け口(6a)の係止孔から内方に離脱させて、配線コネクタ(21)を受け口(6a)から抜き出すことができるようになっている。
【００２９】
配線コネクタ(21)の前後端部における上下の縁には、弾性係止片(25)を上下から挟むようにして、前後方向に延出する突縁(26)(26)が形成されており、両突縁(26)(26)の左端部には、解除操作用突部(25c)を上下から挟むようにして、前後方向に延出する突部(26a)(26a)が設けられている。なお、常時は、解除操作用突部(25c)は、突縁(26)(26)の突部(26a)(26a)より若干前後方向に突出している。
【００３０】
配線コネクタ(21)の配線接続部(21b)における上下２列の収容孔(23)の各々には、上下１対の閉塞体(27)(27)に４個ずつ列設されている各嵌合部(28)が嵌合されている。
【００３１】
上下の閉塞体(27)(27)は、互いに同一形状のものを上下に互いに向き合わせて配設してある。次に、その上方のもののみについて説明する。
この閉塞体(27)は、前後に並ぶ４個の収容孔(23)の配線接続部(21b)側の開口端部を覆うとともに、下縁における各収容孔(23)に対応する部分に、配線(24)挿通用の倒立Ｕ字状をなす切り欠き(29)が設けられた前後方向を向く基片(30)と、この基片(30)の裏面より右方に延出して各収容孔(23)に嵌合し、各収容孔(23)の内面に圧接する前後１対ずつの弾性舌片(31)(31)を備える上記嵌合部(28)とからなっている。
【００３２】
図７に拡大して示すように、各弾性舌片(31)における収容孔(23)の内面、この例では収容孔(23)の上面に接触する縁には、収容孔(23)の方向と直交する前後方向を向く複数の凹条(または凸条)(32)が設けられ、この縁が収容孔(23)の内面に接触したときの摩擦を大として、各弾性舌片(31)が収容孔(23)から抜け出しにくくしてある。
また、１対の弾性舌片(31)(31)の上端近傍部同士は、前後方向を向く連結片(33)により互いに連結され、この部分の剛性を高めている。
【００３３】
基片(30)における配線(24)挿通用の切り欠き(29)が設けられた下縁と反対側の上縁には、閉塞体(27)の離脱操作用の微小な方形の切り欠き(34)が、切り欠き(29)と対向するようにして設けられている。
この切り欠き(29)に、尖先状の工具(図示略)を挿入して、閉塞体(27)を配線コネクタ(21)から容易に離脱させることができる。
【００３４】
基片(30)の表面における互いに隣接する嵌合部(28)(28)の中間部分には、両嵌合部(28)(28)を分断する上下方向を向く凹条(35)が設けられている。
この凹条(35)は、多数の嵌合部(28)が連続して並ぶ横長の閉塞体の連続体を予め形成しておき、嵌合しようとする配線コネクタ(21)の収容孔(23)の個数に応じた所望の凹条(35)に沿って、破断または引きちぎって使用することができるようにするためのものである。
【００３５】
また、この各凹条(35)は、閉塞体(27)の装着時の位置決め用のマークともなっている。すなわち、各凹条(35)が、互いに隣接する収容孔(23)(23)の仕切り部分に位置するようにして、各嵌合部(28)を収容孔(23)に嵌合することにより、嵌合作業が容易となる。
【００３６】
図５に示すように、配線コネクタ(21)の各収容孔(23)に、各配線(24)の端末に接続された接触端子(24a)を配線接続部(21b)側から嵌合し、かつ抜け止めした後、上下２列の収容孔(23)の各々に、互いに上下に向き合わせた上下１対の閉塞体(27)(27)における各嵌合部(28)を、各配線(24)が基片(30)の各切り欠き(29)を挿通するようにして、嵌合する。これにより、図４および図６に示すように、配線コネクタ(21)の各収容孔(23)の空隙部分のほとんどが、閉塞体(27)(27)により閉塞され、配線コネクタ(21)の配線接続部(21b)と各配線(24)との間に違法操作体を挿入して不正行為が行われるのを未然に防止することができる。
【００３７】
しかも、配線接続部(21b)に閉塞体(27)を装着したとき、閉塞体(27)における基片(30)が配線接続部(21b)の表面よりわずかに突出するだけであるので、図３に示すように、配線コネクタ(21)を接続しようとするホッパーユニット(６)の受け口(6a)と電源装置(10)との間に僅少の隙間しかない場合でも、配線コネクタ(21)を受け口(6a)に容易に接続することができ、従来のカバーを装着した場合のように、カバーが邪魔になって、接続が困難または不可能になるということはない。
【００３８】
また、閉塞体(27)は、配線(24)を配線コネクタ(21)に接続した後に装着するものであるので、従来のカバーのように、配線を配線コネクタに接続する前に、カバーを配線に予め装着しておく必要がなく、また、配線コネクタ(21)を配線(24)から外すことなく、閉塞体(27)を配線コネクタ(21)から外すこともできるので、作業性がよく、リサイクルにも都合がよい。
【００３９】
配線コネクタ(22)にも、配線コネクタ(21)におけるのと同様の閉塞体(27)を装着するのが望ましいが、図３に示すように、上方に十分な空間がある電源装置(10)の受け口(10a)に接続する方の配線コネクタ(22)は、このような閉塞体(27)を装着する代わりに、従来のカバーを装着して、不正行為を防止するようにしてもよい。
【００４０】
また、個々の収容孔(23)に、１個ずつ閉塞体(27)を嵌合してもよいが、上記の実施形態のような構成とすれば、一度に複数の収容孔(23)に、閉塞体(27)の嵌合部(28)を同時に嵌合することができるので、作業効率がよい。
【００４１】
さらに、上記の例では、遊技機(１)における筐体(２)内に設けた電源装置(10)とホッパーユニット(６)とを接続するハーネス(20)における配線コネクタ(21)(22)に本発明を適用したが、本発明は、これに限らず、遊技盤(３)の裏面に装着した複数の電気機器同士、筐体(２)内に設けた複数の電気機器同士、遊技盤(３)の裏面に装着した電気機器と筐体(２)内に設けた電気機器、またはそれらの電気機器と遊技機(１)外の電気機器を接続するハーネスにおける配線コネクタ、またはそれらの電気機器同士を接続するハーネス同士を接続する配線コネクタにも適用することができる。
【産業上の利用可能性】
【００４２】
本発明は、上述したようなメダルを遊技媒体とするスロットマシンだけでなく、パチンコ玉を遊技媒体とするパチンコ機、またはパチンコ玉を遊技媒体としたスロットマシン等にも適用することができ、その場合にも同様の効果を奏することができる。
【図面の簡単な説明】
【００４３】
【図１】本発明の一実施形態である遊技機の正面図である。
【図２】同じく、遊技盤を開いた状態の遊技機の斜視図である。
【図３】同じく、遊技盤を外したときの筐体内の正面図である。
【図４】同じく、配線コネクタを装着したハーネスの一方の端部を前斜め上方より見た拡大斜視図である。
【図５】同じく、拡大分解斜視図である。
【図６】図４のＶI−ＶI線に沿う拡大縦断正面図である。
【図７】閉塞体の一部を裏面側から見た拡大斜視図である。
【図８】カバーを装着した従来の配線コネクタの一例を示す斜視図である。
【符号の説明】
【００４４】
(１)遊技機
(２)筐体
(2a)軸
(３)遊技盤
(４)ロック装置
(4a)係止爪
(５)表示装置
(5a)回胴体
(６)ホッパーユニット
(6a)受け口
(７)主制御基板
(８)副制御基板
(９)回胴体制御基板
(10)電源装置
(10a)受け口
(11)識別情報表示窓
(12)液晶表示器
(13)液晶表示窓
(14)遊技情報表示領域部
(14a)ベット数表示窓
(14b)メダル払出数表示窓
(14c)ボーナスゲーム残数表示窓
(14d)クレジット数表示窓
(14e)遊技進行表示窓
(15)メダル投入部
(16)ベットスイッチボタン
(17)スタートスイッチレバー
(18)ストップスイッチボタン
(19)実装基板
(20)ハーネス
(20a)チューブ
(21)(22)配線コネクタ
(21a)(22a)差し込み部  
(21b)(22b)配線接続部
(23)収容孔
(24)配線
(24a)接触端子
(25)弾性係止片
(25a)弾性舌片
(25b)爪片
(25c)解除操作用突部
(26)突縁
(26a)突部
(27)閉塞体
(28)嵌合部
(29)切り欠き
(30)基片
(31)弾性舌片
(32)凹条(凸条)
(33)連結片
(34)切り欠き
(35)凹条
【図１】
2005342405.tif 000003
【図２】
2005342405.tif 000004
【図３】
2005342405.tif 000005
【図４】
2005342405.tif 000006
【図５】
2005342405.tif 000007
【図６】
2005342405.tif 000008
【図７】
2005342405.tif 000009
【図８】
2005342405.tif 000010